(57)【要約】【課題】光漏れを低減することができるプロジェクターを提供する。【解決手段】光源と、光源からの射出光を変調する蛍光体７００と、光源と蛍光体７００とを収納する筐体と、を有するプロジェクターであって、筐体は、筐体の面に設けられた吸気口と、筐体の面に設けられた排気口と、吸気口からの風を筐体内部に導入するためのダクト６０２〜６０４と、排気口に風を送り出すダクト６０５と、を含み、ダクト６０２〜６０４及びダクト６０５の少なくとも一方において、少なくとも内壁に蛍光体７００が設けられている。【選択図】図７
2014115360.tif 000002
【特許請求の範囲】
【請求項１】
光源と、
前記光源からの射出光を変調する光変調装置と、
前記光源と前記光変調装置とを収納する筐体と、
を有するプロジェクターであって、
前記筐体は、
前記筐体の面に設けられた吸気用開口部と、
前記筐体の面に設けられた排気用開口部と、
前記吸気用開口部からの風を前記筐体内部に導入するための第１導風路と、
前記排気用開口部に風を送り出す第２導風路と、
を含み、
前記第１導風路及び前記第２導風路の少なくとも一方において、少なくとも内壁に波長変換部材が設けられていることを特徴とするプロジェクター。
【請求項２】
請求項１に記載のプロジェクターであって、
前記光源は、レーザー光であることを特徴とするプロジェクター。
【請求項３】
請求項１又は請求項２に記載のプロジェクターであって、
前記波長変換部材は、蛍光体であることを特徴とするプロジェクター。
【請求項４】
請求項１乃至請求項３のいずれか一項に記載のプロジェクターであって、
前記第１導風路及び前記第２導風路の少なくとも一方は、複数の曲部を有することを特徴とするプロジェクター。
【発明の詳細な説明】
【技術分野】
【０００１】
本発明は、プロジェクターに関する。
【背景技術】
【０００２】
上記プロジェクターには、例えば、光源や光変調装置などが発熱するため、冷却機構が備えられている。冷却機構は、プロジェクター内部に外気を取り込むための冷却ファン（吸気口）や、光源の熱などによって温められた空気を外部に排出する排気ファン（排気口）などが設けられている。
【０００３】
また、光源からの光は、投射レンズから外部に照射される以外は、プロジェクターを構成する筐体によって、外部に漏れないように遮蔽されている。例えば、特許文献１には、表示に寄与しない紫外光や赤外光などの不要光が投射される部分に黒色塗料を塗布することにより反射を抑え、開口部からの光漏れを抑える方法が記載されている。
【先行技術文献】
【特許文献】
【０００４】
【特許文献１】特開平６−５９２３８号公報
【発明の概要】
【発明が解決しようとする課題】
【０００５】
しかしながら、上記特許文献１に記載の方法では、反射を無くすことが難しく、不要光の一部が吸気口や排気口を介して外部に漏れるという課題があった。また、光源にレーザー光を用いる場合、特に光漏れを低減する必要があるという課題があった。
【課題を解決するための手段】
【０００６】
本発明の態様は、上記課題の少なくとも一部を解決するためになされたものであり、以下の形態又は適用例として実現することが可能である。
【０００７】
［適用例１］本適用例に係るプロジェクターは、光源と、前記光源からの射出光を変調する光変調装置と、前記光源と前記光変調装置とを収納する筐体と、を有するプロジェクターであって、前記筐体は、前記筐体の面に設けられた吸気用開口部と、前記筐体の面に設けられた排気用開口部と、前記吸気用開口部からの風を前記筐体内部に導入するための第１導風路と、前記排気用開口部に風を送り出す第２導風路と、を含み、前記第１導風路及び前記第２導風路の少なくとも一方において、少なくとも内壁に波長変換部材が設けられていることを特徴とする。
【０００８】
本適用例によれば、吸気用開口部に繋がる第１導風路や排気用開口部に繋がる第２導風路の内壁に波長変換部材が設けられているので、光源からの射出光のうち光路から外れた射出光が波長変換部材に当たることにより射出光の波長を長波長の散乱光に変換することが可能となる。よって、射出光がそのまま吸気用開口部や排気用開口部から漏れ出すことを抑えることができる。
【０００９】
［適用例２］上記適用例に係るプロジェクターにおいて、前記光源は、レーザー光であることが好ましい。
【００１０】
本適用例によれば、光源にレーザー光を用いる場合であっても、波長変換部材に当たることにより、例えば、青色光から緑色光や赤色光に変換させることができる。よって、レーザー光がより長波長の散乱光となり、かつブロードな分光特性となるので、レーザー光の特徴である指向性や干渉性、単色性が失われ、低クラスで管理することができる。
【００１１】
［適用例３］上記適用例に係るプロジェクターにおいて、前記波長変換部材は、蛍光体であることが好ましい。
【００１２】
本適用例によれば、波長変換部材が蛍光体であるので、射出光が蛍光体に当たることにより、長波長の散乱光に変換することが可能となり、ブロードな分光特性にすることができる。
【００１３】
［適用例４］上記適用例に係るプロジェクターにおいて、前記第１導風路及び前記第２導風路の少なくとも一方は、複数の曲部を有することが好ましい。
【００１４】
本適用例によれば、第１導風路や第２導風路が曲がっているので、光源からの射出光を複数回反射させることが可能となり、高次反射光にすることができる。よって、射出光がレーザー光であっても、レーザー光の特性が失われる。なお、多少レーザー光が残ったとしても、低クラスで管理することができる。
【図面の簡単な説明】
【００１５】
【図１】本実施形態のプロジェクターの外観斜視図。
【図２】プロジェクターの光学ユニットを示す模式図。
【図３】レーザー光の危険度合いを示す図表。
【図４】プロジェクターの冷却機構を示す模式平面図。
【図５】プロジェクター内部のダクトの構成を示す模式平面図。
【図６】ダクトの構造を模式的に示す斜視図。
【図７】各ダクトの口元に設けられた遮光治具の構造を示す模式図。
【図８】ダクトの変形例の構成を模式的に示す斜視図。
【図９】ダクトの変形例の構成を上方から見た模式平面図。
【発明を実施するための形態】
【００１６】
以下、本発明を具体化した実施形態について図面に従って説明する。なお、使用する図面は、説明する部分が認識可能な状態となるように、適宜拡大または縮小して表示している。
【００１７】
図１は、実施形態に係るプロジェクターの外観斜視図である。以下、プロジェクターの外観構成を、図１を参照しながら説明する。
【００１８】
プロジェクター１０は、光源装置から射出された光束を光変調装置で画像情報に基づいて変調し、投写レンズ装置１１でスクリーン等に投写する装置である。プロジェクター１０は、略直方体形状をなす筐体としての外装筐体１２で覆われている。外装筐体１２は、プロジェクター１０の底面１２ａを構成する下ケース１３と、底面１２ａ以外の５面（上面１２ｂ、前面１２ｃ、背面１２ｄ、右面１２ｅ、左面１２ｆ）を覆う上ケース１４とで構成される。
【００１９】
外装筐体１２は、前面１２ｃの左側に排気口１５を備えている。排気口１５は、下ケース１３にネジ固定される。排気口１５は、外装筐体１２内部の温まった空気を、外装筐体１２外部に排気する。
【００２０】
外装筐体１２は、上面１２ｂと左面１２ｆとに渡り、背面１２ｄ側に光源装置カバー２１を備えている。使用者は、この光源装置カバー２１を開いて光源装置（図示せず）を交換する。外装筐体１２の上面１２ｂには、プロジェクター１０の動作設定を行う操作スイッチ部１６が設置されている。また、上面１２ｂの右面１２ｅ側には、プロジェクター１０の動作状態を表示する表示部１７が設置されている。
【００２１】
また、上面１２ｂの前面１２ｃ側には、投写レンズ装置１１のズーム調整やフォーカス調整を手動で行う、ズームレバー１８とフォーカスレバー１９が露出して設置されている。この投写レンズ装置１１を構成する投写レンズ２２が、前面１２ｃに形成される開口部２３に臨んで設置される。また、前面１２ｃの投写レンズ２２の近傍には、リモコン（リモートコントローラー）からの赤外線の信号を受信する受光部２４が設置されている。
【００２２】
また、プロジェクター１０の底面１２ａには、プロジェクター１０の投写角度の調整を行う脚部２５を備えている。脚部２５は、前面１２ｃ側の略中央に１つの調整脚部２５Ａと、背面１２ｄ側の両端部に２つの固定された固定脚部２５Ｂとを備えている。調整脚部２５Ａは、レバー２６の操作により、外装筐体１２内部に収容され、回動自在に設置される回動部材（図示省略）の回動による底面１２ａからの突出量を調整することができる。
【００２３】
プロジェクター１０の背面１２ｄには、複数の外部電子機器（図示省略）からの画像信号や音声信号等を入力するためのインターフェイス部（図示省略）が設置されている。また、背面１２ｄには、電源ケーブル（図示省略）と接続する電力供給用のインレットコネクター等（図示省略）が設置されている。また、背面１２ｄには、前面１２ｃに設置される受光部２４と同様の受光部（図示省略）が設置されている。プロジェクター１０の右面１２ｅには、冷却用の外気を外装筐体１２内部に吸気するための吸気用開口部としての吸気口が設置されている。
【００２４】
＜プロジェクターの光学系＞
図２は、プロジェクターの光学ユニットを示す模式図である。以下、プロジェクターの光学ユニットについて、図２を参照しながら説明する。
【００２５】
図２に示すように、プロジェクター１０の光学ユニット１００は、第１光源装置３１と第２光源装置３２とを備えている。第１光源装置３１は、赤色光Ｒ及び緑色光Ｇを射出する。第２光源装置３２は、青色光Ｂを射出する。また、第１光源装置３１の隣り（第１光源装置３１から液晶光変調装置４００に至る光路上）には、第１照明光学系４１が設けられている。また、第２光源装置３２の隣り（第２光源装置３２から液晶光変調装置４００に至る光路上）には、第２照明光学系４２が設けられている。
【００２６】
第１照明光学系４１及び第２照明光学系４２に隣接する共通部分には、色分離導光光学系４３が設けられている。色分離導光光学系４３と投写光学系４４との間には、光変調装置としての液晶光変調装置４００Ｒ、液晶光変調装置４００Ｇ、液晶光変調装置４００Ｂ、クロスダイクロイックプリズム４５が配置されている。
【００２７】
第１光源装置３１は、励起光源３１０、コリメーターレンズアレイ３１１、レーザー光源３１２、蛍光発光素子３１３、及びコリメート光学系３１４を備えている。励起光源３１０は、後述する蛍光発光素子３１３が備える蛍光物質を励起させる励起光として、青色のレーザー光を射出する。
【００２８】
レーザー光の特徴としては、波長が揃っている、位相が揃っている、また指向性があるなどが挙げられる。
【００２９】
コリメート光学系３１４は、蛍光発光素子３１３と第１照明光学系４１との間の光の光路上に配置されている。コリメート光学系３１４は、蛍光発光素子３１３からの光の広がりを抑える第１レンズ３１５と、第１レンズ３１５から入射される光を平行化する第２レンズ３１６とを含んで構成されている。第１レンズ３１５は、例えば、凸のメニスカスレンズからなり、第２レンズ３１６は、例えば、凸レンズからなる。コリメート光学系３１４は、蛍光発光素子３１３からの光を略平行化した状態で第１照明光学系４１に入射させる。
【００３０】
蛍光発光素子３１３は、いわゆる透過型の回転蛍光板である。蛍光発光素子３１３は、回転板３１３ａの上に、蛍光発光領域が設けられてなる。蛍光発光領域には蛍光体層３１３ｂが設けられている。
【００３１】
蛍光体層３１３ｂは、図示しない蛍光体粒子とバインダーとを含む。蛍光体粒子は、波長が、例えば、約４４５ｎｍの励起光（青色光）を吸収して、波長帯域が概ね４９０〜７５０ｎｍの蛍光を発する粒子状の蛍光物質である。この蛍光には、緑色光（波長５３０ｎｍ付近）及び赤色光（波長６３０ｎｍ付近）が含まれる。
【００３２】
励起光源３１０を構成するコリメーターレンズアレイ３１１は、各レーザー光源３１２に対応して設けられた複数のマイクロレンズ３１７が二次元的に配列されて構成されている。このコリメーターレンズアレイ３１１は、各マイクロレンズ３１７が、それぞれ、各レーザー光源３１２から射出される各レーザー光の光線軸上となるように配置され、各レーザー光を平行化する。
【００３３】
集光レンズ３１８は、例えば凸レンズからなる。集光レンズ３１８は、コリメーターレンズアレイ３１１から入射する複数のレーザー光（励起光）の光線軸上に配置され、この励起光を収束する。
【００３４】
本実施形態のプロジェクター１０では、励起光源３１０から射出された青色光の全てを蛍光体層３１３ｂの励起光として利用する。液晶光変調装置４００Ｂの照明光として利用する青色光は、第１光源装置３１とは別個に設けられた第２光源装置３２から射出される。
【００３５】
第１照明光学系４１は、第１光源装置３１と色分離導光光学系４３との間に配置されている。第１照明光学系４１は、集光レンズ４１１、ロッドインテグレーター４１２、及び平行化レンズ４１３を備えている。
【００３６】
集光レンズ４１１は、例えば、凸レンズからなる。集光レンズ４１１は、コリメート光学系３１４から入射する光の光線軸上に配置され、この光を集光する。
【００３７】
集光レンズ４１１を透過した光は、ロッドインテグレーター４１２の一端側に入射する。ロッドインテグレーター４１２は、光路方向に延在する角柱状の光学部材であり、内部を透過する光に多重反射を生じさせることにより、集光レンズ４１１を透過した光を混合し、輝度分布を均一化するものである。ロッドインテグレーター４１２の光路方向に直交する断面形状は、液晶光変調装置４００Ｒ、液晶光変調装置４００Ｇ、液晶光変調装置４００Ｂの画像形成領域の外形形状と略相似形となっている。
【００３８】
ロッドインテグレーター４１２の他端側から射出された光は、平行化レンズ４１３により平行化され、第１照明光学系４１から射出される。
【００３９】
一方、第２光源装置３２は、光源３２０と、コリメート光学系３２１と、を備えている。光源３２０は、青色光Ｂを射出するＬＥＤ（Light Emitting Diode）光源である。コリメート光学系３２１は、青色光Ｂが入射する第１レンズ３２２と第１レンズ３２２を透過したレーザー光を平行化する第２レンズ３２３とを有する。コリメート光学系３２１は、光源３２０から射出された青色光Ｂを平行化する。
【００４０】
なお、例えば、第２光源装置３２と第２照明光学系４２との間に、レーザー光である青色光Ｂを拡散（散乱）させる拡散板（図示せず）を設けるようにしてもよい。
【００４１】
第２照明光学系４２は、第２光源装置３２と色分離導光光学系４３との間に配置されている。なお、第２照明光学系４２の構成は、第１照明光学系４１の構成と同じである。
【００４２】
第１光源装置３１から射出された蛍光ＲＧは、第１照明光学系４１により色分離導光光学系４３に導かれる。
【００４３】
第２光源装置３２から射出された光（青色光Ｂ）は、第２照明光学系４２により色分離導光光学系４３に導かれる。
【００４４】
色分離導光光学系４３は、ダイクロイックミラー４３１、反射ミラー４３２、反射ミラー４３３、及び反射ミラー４３４を備えている。
【００４５】
第１照明光学系４１から射出された蛍光ＲＧは、ダイクロイックミラー４３１に入射する。ダイクロイックミラー４３１は、基板上に、所定の波長領域の光を反射して、他の波長領域の光を透過させる波長選択透過膜が形成されたミラーである。具体的には、ダイクロイックミラー４３１は、赤色光成分を反射し、緑色光や青色光などの赤色光よりも短波長の光を透過させる。
【００４６】
蛍光ＲＧに含まれる緑色光Ｇは、ダイクロイックミラー４３１を透過し、反射ミラー４３２にて反射して、緑色光用の液晶光変調装置４００Ｇの画像形成領域に入射する。また、蛍光ＲＧに含まれる赤色光Ｒは、ダイクロイックミラー４３１で反射し、反射ミラー４３３にて反射して、赤色光用の液晶光変調装置４００Ｒの画像形成領域に入射する。
【００４７】
一方、第２照明光学系４２から射出された光（青色光Ｂ）は、反射ミラー４３４にて反射し、青色光用の液晶光変調装置４００Ｂの画像形成領域に入射する。
【００４８】
液晶光変調装置４００Ｒ、液晶光変調装置４００Ｇ、液晶光変調装置４００Ｂは、例えば、例えば、一対の透明基板に液晶を密閉封入した透過型の液晶光変調装置であり、ポリシリコンＴＦＴをスイッチング素子として、与えられた画像情報に応じて、入射側偏光板４２０から射出された１種類の直線偏光の偏光方向を変調する。
【００４９】
液晶光変調装置４００Ｒ、液晶光変調装置４００Ｇ、液晶光変調装置４００Ｂは、第１光源装置３１、第２光源装置３２からの照明光、すなわち入射された色光を画像情報に応じて変調してカラー画像を形成する。これら液晶光変調装置４００Ｒ、液晶光変調装置４００Ｇ及び液晶光変調装置４００Ｂによって、入射された各色光の光変調が行われる。
【００５０】
クロスダイクロイックプリズム４５は、射出側偏光板４３０から射出された色光毎に変調された光学像を合成してカラー画像を形成する光学素子である。このクロスダイクロイックプリズム４５は、４つの直角プリズムを貼り合せた平面視略正方形状をなしている。直角プリズムを貼り合せた略Ｘ字状の界面には、誘電体多層膜が形成されている。略Ｘ字状の一方の界面に形成された誘電体多層膜は、赤色光を反射するものであり、他方の界面に形成された誘電体多層膜は、青色光を反射するものである。これらの誘電体多層膜によって赤色光及び青色光は曲折され、緑色光の進行方向が揃えられることにより、３つの色光が合成される。
【００５１】
クロスダイクロイックプリズム４５から射出されたカラー画像は、投写光学系４４によって拡大投写され、スクリーンＳＣＲ上に画像が形成される。
【００５２】
＜レーザー光の危険評価＞ 
図３は、レーザー光の危険度合いを示す図表である。以下、レーザー光の危険度合いについて、図３を参照しながら説明する。
【００５３】
図３に示す図表は、ＪＩＳ Ｃ ６８０２（２００５）に規定されているレーザー光の出力の大きさの指標となる「クラス」と各クラスにおける「危険評価」である。
【００５４】
図３に示すように、レーザー光において出力の大きさの指標となるクラスは、クラス１、クラス１Ｍ、クラス２、クラス２Ｍ、クラス３Ｒ、クラス３Ｂ、クラス４の７つのクラスに分別される。
【００５５】
クラス１に分類されるレーザー光源の出力は、設計上本質的に安全である。
【００５６】
クラス１Ｍに分類されるレーザー光源の出力は、低出力である。ビーム内観察状態も含め、一定条件の下では安全である。ビーム内で光学的手段を用いて観察すると、危険となる場合がある。
【００５７】
クラス２に分類されるレーザー光源の出力は、可視光（４００〜７００ｎｍの波長）で低出力である。直接ビーム内観察状態も含め、通常目の嫌悪反応によって目の保護がなされる。
【００５８】
クラス２Ｍに分類されるレーザー光源の出力は、可視光（４００〜７００ｎｍの波長）で低出力である。通常目の嫌悪反応によって目の保護がなされる。ビーム内で光学的手段を用いて観察すると、危険となる場合がある。
【００５９】
クラス３Ｒに分類されるレーザー光源の出力は、可視光（４００〜７００ｎｍの波長）ではクラス２の５倍以下の出力であり、可視光以外（３０２．５ｎｍ以上の波長）ではクラス１の５倍以下の出力である。直接ビーム内観察状態では、危険となる場合がある。
【００６０】
クラス３Ｂに分類されるレーザー光源の出力は、０．５Ｗ以下の出力である。直接ビーム内観察をすると危険である。ただし、拡散反射による焦点を結ばないパルスレーザー放射の観察は危険ではなく、ある条件下では安全に観察できる。
【００６１】
クラス４に分類されるレーザー光源の出力は、高出力である。危険な拡散反射を生じる可能性がある。
【００６２】
＜プロジェクター内の冷却＞
図４は、プロジェクターの冷却機構を示す模式平面図である。図５は、プロジェクターの外装筐体内部のダクトの構成を示す模式平面図である。以下、プロジェクターの冷却機構及びダクトの構成について、図４及び図５を参照しながら説明する。
【００６３】
プロジェクター１０の冷却機構は、光学ユニット１００で発熱する発熱部に対し、外装筐体１２内部に外気を導入して冷却するものである。外装筐体１２の右面１２ｅには、第１吸気口５１１及び第１吸気ファン５１２と、第２吸気口５２１及び第２吸気ファン５２２とが設けられている。また、外装筐体１２の背面１２ｄには、第３吸気口５３１及び第３吸気ファン５３２が設けられている。外装筐体１２の前面１２ｃには、排気用開口部としての排気口５４１及び排気ファン５４２が設けられている。
【００６４】
なお、第１吸気口５１１、第２吸気口５２１、及び第３吸気口５３１には、粉塵などがプロジェクター１０内部に入り込まないように、例えば、フィルターが設けられている。
【００６５】
第１吸気ファン５１２は、主に外装筐体１２内部の空気を第１吸気口５１１から排気口５４１に向かって排出する、つまり、大きな気流をつくるためのファンである。
【００６６】
第２吸気ファン５２２は、主に第２光源装置３２を冷却するためのファンである。第３吸気ファン５３２は、主に第１光源装置３１を冷却するためのファンである。
【００６７】
排気ファン５４２は、外装筐体１２内部に発生した熱を外装筐体１２の外部に排出するために用いられる。具体的には、上記したように、第１吸気ファン５１２から第３吸気ファン５３２によって外装筐体１２の内部に吸引した空気を外装筐体１２外部に排出するためのファンである。
【００６８】
図５に示すように、上記した光学ユニット１００は、例えば、第１ダクト６０１によって囲われた状態となっている。また、第１吸気口５１１及び第１吸気ファン５１２は、第２ダクト６０２を介して、第１ダクト６０１との間で流動可能に接続されている。また、第２吸気口５２１及び第２吸気ファン５２２は、第３ダクト６０３を介して、第１ダクト６０１との間で流動可能に接続されている。第３吸気口５３１及び第３吸気ファン５３２は、第４ダクト６０４を介して、第１ダクト６０１との間で流動可能に接続されている。
【００６９】
また、排気口５４１及び排気ファン５４２は、第５ダクト６０５を介して、第１ダクト６０１との間で流動可能に接続されている。なお、第１ダクト６０１〜第５ダクト６０５の材料としては、例えば、金属材料や、金属材料より熱伝導率の低い樹脂や断熱材料などを用いてもよい。
【００７０】
このように、第１吸気口５１１から第３吸気口５３１、及び排気口５４１が、第１ダクト６０１から第５ダクト６０５を介して空気が流動可能に接続されているので、温められた空気を外装筐体１２の外部に排出させることができる。また、発熱する部品（例えば、光源装置３１，３２）の温度が急激に上昇することを抑えることができる。
【００７１】
また、具体的には後述するが、第１ダクト６０１から第５ダクト６０５によって光学ユニット１００が囲われていることにより、光学ユニット１００からの漏れ光が使用者に視認されにくい構造となっている。
【００７２】
図６は、ダクトの構造を模式的に示す斜視図である。図７は、図６に示す各ダクトの口元に設けられた遮光治具の構造を示す模式図である。以下、ダクト及び遮光治具の構造を、図６及び図７を参照しながら説明する。
【００７３】
図６に示すように、ダクト６００は、第１ダクト６０１と、第１ダクト６０１内に空気を吸引するための第２ダクト６０２、第３ダクト６０３、及び第４ダクト６０４と、第１ダクト６０１内から外部に空気を排出するための第５ダクト６０５とを備えている。
【００７４】
また、第１ダクト６０１の側面には、光学ユニット１００を介して光を射出させるための開口部６１１が設けられている。
【００７５】
第２ダクト６０２から第５ダクト６０５の先端には、吸気ファン５１２，５２２，５３２、又は排気ファン５４２を有する遮光治具６１０ａ〜６１０ｄが設けられている。
【００７６】
具体的には、図７に示すように、遮光治具６１０は、ファン５０２（吸気ファン５１２，５２２，５３２、排気ファン５４２）と、ファン５０２をガイドするガイド部５０３と、ガイド部５０３におけるダクト６０２〜６０５とは反対側に設けられた第１遮光部５０４及び第２遮光部５０５と、を備えている。
【００７７】
ファン５０２は、外部の空気をダクト６００（６０１〜６０４）内に吸気する、又は、ダクト６００（６０５）から空気を外部に排出するために用いられる。ガイド部５０３は、例えば、ファン５０２をダクト６０２〜６０５に固定するために用いられる。
【００７８】
第１遮光部５０４及び第２遮光部５０５（第１導風路）は、吸気ファン５１２，５２２，５３２として用いる場合には、外部の空気を外装筐体１２（ダクト６００）内に吸引するための空気の流れをガイドすると共に、外装筐体１２（ダクト６００）内部から漏れた光が直接外部に漏れ出ないように（外装筐体１２やダクト６００の内壁で反射した光が、直接外装筐体１２の外部へ出射されることがないように）するために用いられる。
【００７９】
また、第１遮光部５０４及び第２遮光部５０５（第２導風路）は、排気ファン５４２として用いる場合には、内部の空気を外装筐体１２（ダクト６００）外に排出するための空気の流れをガイドすると共に、外装筐体１２（ダクト６００）内部から漏れた光が直接外部に漏れ出ないようにするために用いられる。
【００８０】
第１遮光部５０４及び第２遮光部５０５の内側には、レーザー光をより長波長で広い波長帯域の光に変換するための波長変換部材としての蛍光体７００が設けられている。
【００８１】
蛍光体７００としては、例えば、上記したように、波長が例えば約４４５ｎｍの励起光（青色光）を吸収して、波長帯域が概ね４９０〜７５０ｎｍの蛍光を発する粒子状の蛍光物質である。この蛍光には、緑色光（波長５３０ｎｍ付近）及び赤色光（波長６３０ｎｍ付近）が含まれる。
【００８２】
蛍光体粒子としては、通常知られたＹＡＧ（イットリウム・アルミニウム・ガーネット）系蛍光体層を用いることができる。例えば、平均粒径が１０μｍの（Ｙ，Ｇｄ）3（Ａｌ，Ｇａ）5Ｏ12：Ｃｅで示される組成のＹＡＧ系蛍光体層を用いることができる。なお、蛍光体粒子の形成材料は、１種であっても良く、２種以上の形成材料を用いて形成されている粒子を混合したものを蛍光体粒子として用いることとしても良い。
【００８３】
また、蛍光体７００としては、有機の蛍光色素として、ローダミン、テキサスレッド、ダイライト６３３、アレクサ６４７などを用いることができる。
【００８４】
ローダミンの励起ピーク波長は５５０ｎｍであり、発光ピーク波長は５７０ｎｍである。テキサスレッドの励起ピーク波長は５９６ｎｍであり、発光ピーク波長は６１５ｎｍである。ダイライト６３３の励起ピーク波長は６３８ｎｍであり、発光ピーク波長は６５８ｎｍである。アレクサ６４７の励起ピーク波長は６５０ｎｍであり、発光ピーク波長は６６５ｎｍである。
【００８５】
蛍光体７００としては、例えば、上記した材料を混ぜ合わせて、バインダーを介して固めて用いられる。つまり、バインダーに蛍光材料を混合して塗布し、蛍光材料を第１遮光部５０４や第２遮光部５０５の側面に固着する。少なくとも、第１遮光部５０４や第２遮光部５０５の側面のうち、実装後にダクト側に対向する面に塗布する。レーザー光は、遮光治具６１０を構成する第１遮光部５０４及び第２遮光部５０５（吸気口や排気口）の内壁で反射しながら、内壁の蛍光体７００に複数回反射を繰り返すことにより、より長波長に変換される。
【００８６】
具体的には、レーザー光（単波長、あるいはその集合体）が蛍光体７００に複数回反射して当たることにより、射出光が散乱して散乱光となって出てくる。言い換えれば、ブロードな分光特性にすることができるとともに、指向性や干渉性を失わせることができる。これにより、レーザー光としての成分をできるだけ少なくすることが可能となり、安全管理上のリスクを減らすことができる。つまり、より管理が容易なレベルにすることができる。
【００８７】
以上詳述したように、本実施形態のプロジェクター１０によれば、以下に示す効果が得られる。
【００８８】
（１）本実施形態のプロジェクター１０によれば、吸気口５１１，５２１，５３１に繋がる遮光治具６１０や、排気口５４１に繋がる遮光治具６１０の内壁に蛍光体７００が設けられているので、光源３１０，３２０からの射出光のうち光路から外れた射出光が蛍光体７００に当たることにより射出光の波長を長波長の散乱光に変換することが可能となる。よって、射出光がそのまま吸気口５１１，５２１，５３１や排気口５４１から漏れ出すことを抑えることができる。
【００８９】
（２）本実施形態のプロジェクター１０によれば、光源３１０，３２０にレーザー光を用いる場合であっても、蛍光体７００に当たることにより、例えば、青色光から緑色光や赤色光に変換させることができる。よって、光路から外れたレーザー光がより長波長の散乱光となり、かつブロードな分光特性となるので、レーザー光の特徴である指向性や干渉性、単色性が失われ、低クラスで管理することができる。
【００９０】
なお、本発明の態様は、上記した実施形態に限られるものではなく、請求の範囲及び明細書全体から読み取れる発明の要旨あるいは思想に反しない範囲で適宜変更可能であり、本発明の態様の技術範囲に含まれるものである。また、以下のような形態で実施することもできる。
【００９１】
（変形例１）
上記したように、遮光治具６１０を構成する第１遮光部５０４及び第２遮光部５０５の内面に蛍光体を設けることに限定されず、図８に示すようにしてもよい。図８は、ダクト１６００の構成を模式的に示す斜視図である。なお、図８に示すダクト１６００は、ダクト１６００の上板をカットしたときの内部の状況を模式的に示す斜視図である。また、図８に示すダクト１６００は、遮光治具６１０の図示を省略している。
【００９２】
図８に示すように、ダクト１６００は、上記実施形態のように、第１ダクト６０１と、第２ダクト６０２、第３ダクト６０３、第４ダクト６０４、第５ダクト６０５（第１導風路、第２導風路）とが、それぞれ流動可能に繋がって設けられている。第１ダクト６０１〜第５ダクト６０５の内壁全面には、上記遮光治具６１０の第１遮光部５０４及び第２遮光部５０５に設けられた蛍光体７００と同様の蛍光体７１０が配置されている。
【００９３】
これによれば、ダクト１６００の内壁に蛍光体７１０が設けられているので、光源３１０，３２０からの射出光のうち光路から外れた射出光が蛍光体７１０に当たることにより、射出光の波長を長波長の散乱光に変換することが可能となる。よって、射出光がそのままダクト１６００（５１１，５２１，５３１，５４１）から漏れ出すことを抑えることができる。なお、第１遮光部５０４、第２遮光部５０５、及びダクト１６００の両方の構造を備えるようにしてもよいし、どちらか一方を備えるようにしてもよい。
【００９４】
（変形例２）
上記したように、光源３１０，３２０から吸気口５１１〜５３１及び排気口５４１に亘ってダクト６０１〜６０５を設けたことに限定されず、例えば、図９に示すようにしてもよい。図９は、ダクト２６００の内部を上方から見た模式平面図である。
【００９５】
具体的には、図９に示すように、例えば、赤色用チューブ７２０Ｒ（第２導風路）は、液晶光変調装置４００Ｒの周辺で漏れた射出光を散乱光にするために、液晶光変調装置４００Ｒの下方から排気口５４１まで延在されている。緑色用チューブ７２０Ｇ（第２導風路）は、液晶光変調装置４００Ｇの周辺で漏れた射出光を散乱光にするために、液晶光変調装置４００Ｇの下方から排気口５４１まで延在されている。青色用チューブ７２０Ｂ（第２導風路）は、液晶光変調装置４００Ｂの周辺で漏れた射出光を散乱光にするために、液晶光変調装置４００Ｂの下方から排気口５４１まで延在されている。
【００９６】
これらチューブ７２０Ｒ，７２０Ｇ，７２０Ｂの内壁には、蛍光体８００Ｒ，８００Ｇ，８００Ｂが設けられている。なお、蛍光体８００Ｒ，８００Ｇ，８００Ｂは、上記したようなＲＧＢ三色の光に対応する蛍光体７００と同様であることに限定されず、例えば、各色ごとに専用の蛍光体８００Ｒ，８００Ｇ，８００Ｂを設けるようにしてもよい。
【００９７】
すなわち、青色光を出射する光源、青色光を変調するための液晶光変調装置４００Ｂ、又は青色光を出射する光源から青色光を変調するための液晶光変調装置４００の光路上に位置する光学部材を冷却する導風路を形成するチューブ７２０Ｇや、チューブ７２０Ｇと接続された排気口５４１や吸気口には、特に青色光の波長帯域の光を吸収する波長変換材料を形成する。
【００９８】
一方、緑色光を出射する光源、緑色光を変調するための液晶光変調装置４００Ｂ、又は緑色光を出射する光源から緑色光を変調するための液晶光変調装置４００の光路上に位置する光学部材を冷却する導風路を形成するチューブ７２０Ｂや、チューブ７２０Ｂと接続された排気口５４１や吸気口には、特に緑色光の波長帯域の光を吸収する波長変換材料を形成する。同様に赤色光に用いられる光学部材の冷却経路に関する部分では、特に赤色光の波長帯域の光を吸収する波長変換材料を形成する。
【００９９】
このように、熱伝導率の低い金属材料などからなるダクト６０２〜６０５に代えて、ゴムなど柔軟な材料からなるチューブ７２０Ｒ，７２０Ｇ，７２０Ｂを設けることにより、自由に折り曲げることが可能となり、光路を容易に屈曲させることができる。よって、漏れた射出光を複数回に反射させることが可能となり、射出光の波長を長波長の散乱光に変換することができる。つまり、射出光がレーザー光であっても、レーザー光の特性が失われる。なお、多少レーザー光が残ったとしても、低クラスで管理することができる。
【０１００】
また、各チューブ７２０Ｒ，７２０Ｇ，７２０Ｂごとに、各波長域に対応した蛍光体８００Ｒ，８００Ｇ，８００Ｂを設けることにより、光の吸収帯域を合わせることが可能となり、効率的にレーザー光から長波長の散乱光に変換することができる。複数種類の蛍光体を混ぜ合わせる必要がないため、使用する蛍光材料の量を減らすことができ、低コストにすることができる。
【０１０１】
なお、これらチューブ７２０Ｒ，７２０Ｇ，７２０Ｂを吸気口５１１〜５３１に繋がるように配置してもよい。しかしながら、チューブ７２０を折り曲げた際、蛍光体が剥がれ、剥がれた蛍光体が光学系に入って光を遮断するなどの影響が考えられる。よって、蛍光体が剥がれた場合でも影響がないように、排気口５４１に繋げて設けることが好ましい。また、上記実施形態のように、遮光治具６１０を設けずに、チューブ７２０Ｒ，７２０Ｇ，７２０Ｂだけを設けるようにしてもよい。つまり、どちらか一方を用いるようにしてもよいし、両方を併用するようにしてもよい。
【０１０２】
（変形例３）
上記したように、ダクト６００の内壁に蛍光体７１０を配置することに限定されず、例えば、ダクト６００を配置せず、外装筐体１２の内壁に蛍光体７１０を配置するようにしてもよい。この場合、例えば、カップリング処理を用いることにより、外装筐体１２の内壁に蛍光体７１０を結合させることができる。また、ファンなどの振動部や、外部から動かせる可動部は、振動によって塗料が落ちる恐れがあるため、蛍光体を設けないことが望ましい。
【０１０３】
（変形例４）
上記したように、外周が囲われたダクト６００やチューブ７２０の両方を設けることに限定されず、少なくとも遮光治具６１０、ダクト１６００、チューブ７２０のいずれかが設けられていればよい。また、風が流れる道も便宜的に導風路とすることができ、例えば、チューブ７２０の一部が繋がっていなかったり、各ダクト６０１〜６０５の一部が繋がっていなかったり、また、ダクト６０１〜６０５のない構成であってもよい。
【０１０４】
（変形例５）
上記したように、吸気口５１１〜５３１や排気口５４１がプロジェクター１０の側面に設けられていることに限定されず、例えば、プロジェクター１０を使う用途に合わせて吸気口５１１〜５３１や排気口５４１の位置を変えるようにしてもよい。例えば、プロジェクター１０を机上に置く場合は、プロジェクター１０の下側に設けるようにする。また、プロジェクター１０を天井に吊るす場合は、プロジェクター１０の上側に設けるようにする。このようにすれば、ユーザー側に漏れ出す射出光を極力なくすことができ、安全性を確保することができる。
【０１０５】
（変形例６）
上記したように、透過型のプロジェクター１０であることに限定されず、例えば、反射型のプロジェクターに本発明を適用するようにしてもよい。また、３ＬＣＤ方式のプロジェクター１０であることに限定されず、ＤＬＰ方式のプロジェクターに本発明を適用するようにしてもよい。
【符号の説明】
【０１０６】
１０…プロジェクター、１１…投写レンズ装置、１２…筐体としての外装筐体、１２ａ…底面、１２ｂ…上面、１２ｃ…前面、１２ｄ…背面、１２ｅ…右面、１２ｆ…左面、１３…下ケース、１４…上ケース、１５…排気口、１６…操作スイッチ部、１７…表示部、１８…ズームレバー、１９…フォーカスレバー、２１…光源装置カバー、２２…投写レンズ、２３…開口部、２４…受光部、２５…脚部、２５Ａ…調整脚部、２５Ｂ…固定脚部、２６…レバー、３１…第１光源装置、３２…第２光源装置、４１…第１照明光学系、４２…第２照明光学系、４３…色分離導光光学系、４４…投写光学系、４５…クロスダイクロイックプリズム、１００…光学ユニット、３１０…励起光源、３１１…コリメーターレンズアレイ、３１２…レーザー光源、３１３…蛍光発光素子、３１３ａ…回転板、３１３ｂ…蛍光体層、３１４…コリメート光学系、３１５…第１レンズ、３１６…第２レンズ、３１７…マイクロレンズ、３１８…集光レンズ、３２０…光源、３２１…コリメート光学系、３２２…第１レンズ、３２３…第２レンズ、４００Ｂ，４００Ｇ，４００Ｒ…光変調装置としての液晶光変調装置、４１１…集光レンズ、４１２…ロッドインテグレーター、４１３…平行化レンズ、４２０…入射側偏光板、４３０…射出側偏光板、４３１…ダイクロイックミラー、４３２，４３３，４３４…反射ミラー、５０２…ファン、５０３…ガイド部、５０４…第１遮光部（第１導風路、第２導風路）、５０５…第２遮光部（第１導風路、第２導風路）、５１１…吸気用開口部としての第１吸気口、５１２…第１吸気ファン、５２１…吸気用開口部としての第２吸気口、５２２…第２吸気ファン、５３１…吸気用開口部としての第３吸気口、５３２…第３吸気ファン、５４１…排気用開口部としての排気口、５４２…排気ファン、６００，１６００…ダクト、６０１…第１ダクト、６０２…第２ダクト（第１導風路）、６０３…第３ダクト（第１導風路）、６０４…第４ダクト（第１導風路）、６０５…第５ダクト（第２導風路）、６１０…遮光治具、６１１…開口部、７００，７１０…波長変換部材としての蛍光体、７２０…チューブ、７２０Ｂ…青色用チューブ（第２導風路）、７２０Ｇ…緑色用チューブ（第２導風路）、７２０Ｒ…赤色用チューブ（第２導風路）、８００，８００Ｒ，８００Ｇ，８００Ｂ…蛍光体。
【図１】
2014115360.tif 000003
【図２】
2014115360.tif 000004
【図３】
2014115360.tif 000005
【図４】
2014115360.tif 000006
【図５】
2014115360.tif 000007
【図６】
2014115360.tif 000008
【図７】
2014115360.tif 000009
【図８】
2014115360.tif 000010
【図９】
2014115360.tif 000011